(57)【特許請求の範囲】
【請求項１】
開放型で外気導入部にフイルタを用いない筐体に収納されているプリント基板（１）を空冷するファン（７）を有するものであって、ファン（７）によって発生した冷却風（５）を受ける側のプリント基板（１）の端部に防風金具（３）を取り付けることを特徴とする実装カードの塩害防止構造。
【請求項２】
前記防風金具（３）の高さがプリント基板（１）に実装された発熱量の低い電子部品（２）高さよりも高くした請求項１記載の実装カードの塩害防止構造。
【請求項３】
前記防風金具（３）の高さがプリント基板（１）に実装された発熱量の大きい電子部品のラジエータ（４）に対応する部分だけ切り欠いてある請求項１記載の実装カードの塩害防止構造。
【請求項４】
開放型で外気導入部にフイルタを用いない筐体に収納されているプリント基板（１）を空冷するファン（７）を有するものであって、ファン（７）によって発生した冷却風（５）を受ける側のプリント基板（１）の端部に複数のフィン（６）を有する防風金具（８）を取り付けることを特徴とする実装カードの塩害防止構造。
【請求項５】
前記フィン（６）が防蝕材料で形成されている請求項４記載の実装カードの塩害防止構造。
【請求項６】
前記フィン（６）に付着したのち落下する水滴や塵埃を回収する回収部を有する請求項４記載の実装カードの塩害防止構造。
【発明の詳細な説明】
【０００１】
【発明の属する技術分野】
本発明は実装カードの塩害防止構造、特に、強制冷却ファンを有する開放型の電子装置の実装カードの塩害防止構造に関する。
【０００２】
【従来の技術】
従来の実装カードの塩害防止構造について図面を参照して詳細に説明する。
【０００３】
図３は第１の従来例を示す斜視図である。（例えば、特開平０３−２０１５００号公報参照）。図において、１０１ｃはラック１０１底面に設けられた空気吸入口、１０１ｄはラック１０１上部に設けられた空気吐出口、１０４はラック１０１前面に設けられた扉でガラスがはめ込まれている。
【０００４】
１０５はエアフイルタであり、例えばガラス繊維等の表面張力の高い材質でできており、０．１ミクロン以上のほこりをカットできるのもである。１０６はファンである。
【０００５】
扉１０４は、パッキング構造になっており、その他のラック装置の要部も密閉構造をとっている。機器１０２をラック本体に取り付けた後、扉１０４を閉じ、ファン１０６を回転させると、空気は空気吸入口１０１ｃから入ってくる。空気吸入口１０１ｃから入った空気は、エアフイルタ１０５を通過することにより浄化されファン１０６によって空気吐出口１０１ｄよりラック外部に排出される。ラック内に収納された機器に影響を及ぼす塩分を含む湿気の多い空気またはミストにおける塩分に関係する粒子はせいぜい０．数ミクロン程度であり、エアフイルタ１０５によって塩分も除くことができる。
【０００６】
海岸近接地域（塩害地域）に設置される配電盤の塩害対策として、外被の腐食には塗料の種類及び膜厚等で対策を講じているが、内部の塩害による電気的な面に対しての対策はなされていないのが現状である。そのため、配電盤内部がどの程度の塩害を受けているのかは、次のような不具合が発生した時点でしか判断できないものであった。
（１）絶縁劣化による部分放電発生
（２）主回路機器等の導電部メッキの腐食発生
（３）制御部品の接点等に接触不良発生
（４）内部の板金に錆びが発生。
【０００７】
そこで、配電盤内部で前述した不具合が発生する前に警報を発してメンテナンス等の予測保全を行う技術がある。
【０００８】
図４は第２の従来例を示す断面図である。（例えば、特開平０８−２２３７１４号公報参照）。
【０００９】
図において２０１は配電盤、２０２は通気口、２０３はフィルターである。配電盤２０１内には塩分付着量測定装置２０４が設けられている。この塩分付着量測定装置２０４は、塩分採取用の電動回転式ドラム２０５およびブラシ２０６と、該ドラム２０５に付着した塩分が浸される測定水２０７と、導電率を検出するためのセンサ２０８と、導電率計２０９とで構成されている。外気は通気口２０２のルーバー２１０およびフィルター２０３を介して配電盤２０１内へ入り込む。
【００１０】
上記のように構成された装置において、警報を発するときの導電率を設定するために装置の条件を次のように設定する。
条件１…塩分付着量の警報しきい値を０．１ｍｇ／ｃｍ2とする。
条件２…塩分採取用の水を１００ｃｃとし、一定に水量を保つ方式とする。
条件３…塩分採取面積を１００ｃｍ2とする。
【００１１】
上記条件により導電率を逆算する。まず塩分付着密度０．１ｍｇ／ｃｍ2の時 の総塩分含有量（Ａ＝Ｙ・Ｓより）は、０．１ｍｇ／ｃｍ2×１００ｃｍ2１０  ｍｇ／１００ｃｃとなり、該１０ｍｇ／１００ｃｃのときの抵抗率は塩分含有量校正曲線から、４．８×１０3（Ω・ｃｍ）であることが解る。このため導電率 はＳ・ｃｍ＝１／Ω・ｃｍより、１／（４．８×１０5）＝２．０８×１０-4（ Ｓ・ｃｍ）となる。
【００１２】
したがってこの装置では、塩分付着密度０．１ｍｇ／ｃｍ2のときの導電率、 すなわち２．０８×１０-4（Ｓ・ｃｍ）以上となったときに導電率計９から警報が発せられる。
【００１３】
海岸地区でのホテル、事務所、病院などのビルに配置され新鮮外気を取り入れ冷暖房をおこなう空気調和機は、換気用新鮮外気に含まれる海塩ミストにようフイルタの目づまりおよび腐食の進行が早く、何らかの海塩ミスト除去対策が必要になる。
【００１４】
図５は第３の従来例を示す断面図である。（例えば、特開昭６３−１０５３４１号公報参照）。本体３０１の内部にフイルタ３０２が設けられており、フイルタ３０２の上流側に、複数の斜板で各々が空隙を持つように構成されたエリミネータ３０５が配置されている。エリミネータ３０５の上流側には、混合チャンバ３０６設けられており、フイルタ３０２の下流側には冷却器３０８、送風機３０４、ヒータ３０９がそれぞれ順に設けられている。
【００１５】
送風機３０４の吐出側本体部分３０１ａと、混合チャンバ３０６側本体部分３０１ｂとを連結する循環ダクト３０７を設け、送風機３０４から吐出された冷却空気を一部混合チャンバ３０６に還流している。
【００１６】
次に動作について説明する。空気調和機を運転すると、送風機により海塩ミストを含んだ換気用の新鮮空気が本体３０１内の混合チャンバ３０６に流入する。外気はエリミネータ３０５によって大きな粉塵が衝突して落下し、フイルタ３０２によって細かい粉塵が除去され、冷却器３０８により冷却され、送風機３０４に吸入まれたのち吐出される。吐出された冷却空気は、大部分がヒータ３０９により適温に調節された後、図示省略した室内に供給される。
【００１７】
一部の冷却された空気は循環ダクト３０７を通って混合チャンバ３０６に還流され先に記した連続して流入する外気と混合チャンバ３０６内で混合される。
【００１８】
混合された外気は冷却され、相対湿度が上昇する。したがって外気の水分は、海塩ミスト等の微粒子を核として、吸収され１０ミクロン以上の粒子に成長する。
【００１９】
成長した粒子は、エリミネータ３０５方向に進行する粒形が大となっているため慣性力により斜板に衝突し、これに付着または落下して１００％近く除去される。
【００２０】
そののち、フイルタ３０２により細かい粉塵が濾過され、冷却器３０８により冷却され、繰返し連続しておこなわれる。そこで、エリミネータ３０５付近の塩害腐食対策を講じれば、他の部分の空気調和機器は塩害腐食を生じない。
【００２１】
【発明が解決しようとする課題】
強制冷却ファンを有する装置の設置環境が冷房をしながら外気を導入する局舎や海の近くの局舎の場合、空気中に塩分を含んだ塵埃が含まれており冷却ファンでカードに吹き付ける事によりプリント基板や部品に付着する。これに、装置保守時の局舎の開放により結露現象が発生すると塵埃中の塩分が原因となってプリント基板や部品を腐食させて装置の故障を発生させる。この対策としてはシリコン樹脂等の防湿材を塗布する方法が有るが、この方法は塗布作業に多大の費用がかかる上に塗布後の修理が非常に困難になる問題がある。
【００２２】
上述した従来の実装カードの塩害防止構造は、空気導入口に塩害防止フィルターを取り付けるが、定期的に交換する必要があり、顧客から断られる場合が多い。
【００２３】
フイルタの性能は１ミクロン以上の微粒子を９０％以上除去するため、外気に含まれる海塩ミスト捕集時にフイルタの目がつまり、また海塩ミストは潮解性を持つためフイルタ表面に膜状に広がり、圧力損失の上昇を起し、フイルタ寿命を縮め塩害腐食を生じるという問題があった。
【００２４】
本発明の目的は作業が簡単で修理が出来、要求される稼働期間を満足できる抑止効果を持つ構造を提供することにある。
【００２５】
【課題を解決するための手段】
第１の発明の実装カードの塩害防止構造は、開放型で外気導入部にフイルタを用いない筐体に収納されているプリント基板（１）を空冷するファン（７）を有するものであって、ファン（７）によって発生した冷却風（５）を受ける側のプリント基板（１）の端部に防風金具（３）を取り付ける。
【００２６】
第２の発明の実装カードの塩害防止構造は、第１の発明において、前記防風金具（３）の高さがプリント基板（１）に実装された発熱量の低い電子部品（２）高さよりも高くする。
【００２７】
第３の発明の実装カードの塩害防止構造は、第１の発明において、前記防風金具（３）の高さがプリント基板（１）に実装された発熱量の大きい電子部品のラジエータ（４）に対応する部分だけ切り欠いてある。
【００２８】
第４の発明の実装カードの塩害防止構造は、開放型で外気導入部にフイルタを用いない筐体に収納されているプリント基板（１）を空冷するファン（７）を有するものであって、ファン（７）によって発生した冷却風（５）を受ける側のプリント基板（１）の端部に複数のフィン（６）を有する防風金具（８）を取り付ける。
【００２９】
第５の発明の実装カードの塩害防止構造は、第４の発明において、前記フィン（６）が防蝕材料で形成されている。
【００３０】
第６の発明の実装カードの塩害防止構造は、第４の発明において、前記フィン（６）に付着したのち落下する水滴や塵埃を回収する回収部を有する。
【００３１】
【発明の実施の形態】
次に、本発明について図面を参照して詳細に説明する。
【００３２】
図１（ａ），（ｂ）は本発明の第１の実施形態を示す上面図および側面図である。図１に示す実装カードの塩害防止構造は、カード下部に冷却ファンを配置して強制冷却する装置において、カード下部に防風金具３を取り付け、プリント基板１上に実装してある電気部品２にファンの冷却風５が直接当たるのを抑制し、冷却風５中の塩分を含む塵埃を防風金具３に捕集することで、プリント基板１や電機部品２への塵埃付着を抑制し塩分によるプリント基板１、電気部品２の腐食発生を抑止する。
【００３３】
強制冷却ファンを有する装置において装置に実装されるカードのファン側下部に防風金具３を取り付ける。防風金具３の高さはプリント基板１に実装されている電気部品２の高さ以上とする。
【００３４】
カード下部のファン７から出た冷却風５は防風金具３に当たり、電気部品の上方を通り抜ける。ラジエター４の様に冷却が必要な部品に対してはラジエター４部分のみ防風金具３を切り欠く等の処置を行い直接風を当てる。これにより塵埃は防風金具３とラジエター４のみに付着し、プリント基板１と電機部品２への塵埃の付着を抑制する。
【００３５】
図２（ａ），（ｂ）は本発明の第２の実施形態を示す側面図である。冷却の為に全部品に冷却風５を当てる必要が有る例を図２に示す。防風金具８をフィン形状にして冷却風５の流動ロスを低減すると同時に、冷却風を一度フィン６に当てる事により塵埃の捕集効果を維持する。
【００３６】
捕集された塵埃や水滴等は、図示しない回収部にて回収する。
【００３７】
【発明の効果】
本発明の実装カードの塩害防止構造は、塵埃のプリント基板１と電機部品２への付着が抑制される事により、塵埃に含まれる塩分による腐食の進行を遅延出来、パネルの稼働寿命延長が出来るできるという効果がある。
【図面の簡単な説明】
【図１】（ａ），（ｂ）は本発明の第１の実施形態を示す上面図および側面図である。
【図２】（ａ），（ｂ）は本発明の第２の実施形態を示す部分側面図である。
【図３】第１の従来例を示す斜視図である。
【図４】第２の従来例を示す断面図である。
【図５】第３の従来例を示す断面図である。
【符号の説明】
１    プリント基板
２    電気部品
３    防風金具
４    ラジエター
５    冷却風
６    フィン
７    ファン
８    防風金具
【図１】
0003656572.tif 000002
【図２】
0003656572.tif 000003
【図３】
0003656572.tif 000004
【図４】
0003656572.tif 000005
【図５】
0003656572.tif 000006